(57)【要約】【課題】紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる紙葉類処理装置、紙葉類処理システムおよび紙葉類処理方法を提供する。【解決手段】紙葉類処理装置（例えば、紙幣入出金装置１０）は、一時保留部における紙葉類の保留空間を複数の紙葉類収納領域に区分け可能な区分け機構（例えば、セパレータ３０ｃやロック部）と、処理部により処理される紙葉類に係る異常を検出する異常検出手段８６と、異常検出手段８６により異常が検出されたときに、一時保留部に既に保留されている紙葉類が収納される紙葉類収納領域と、一時保留部に新たに送られる紙葉類が収納される紙葉類収納領域とを区分けるよう区分け機構を制御する制御部３００とを備えている。【選択図】図８
2017107281.tif 000002
【特許請求の範囲】
【請求項１】
紙葉類の処理を行う処理部と、
複数の紙葉類が保留される一時保留部と、
前記一時保留部における紙葉類の保留空間を複数の紙葉類収納領域に区分け可能な区分け機構と、
前記処理部により処理される紙葉類に係る異常を検出する異常検出手段と、
前記異常検出手段により異常が検出されたときに、前記一時保留部に既に保留されている紙葉類が収納される紙葉類収納領域と、前記一時保留部に新たに送られる紙葉類が収納される紙葉類収納領域とを区分けるよう前記区分け機構を制御する制御部と、
を備えた、紙葉類処理装置。
【請求項２】
前記制御部は、前記一時保留部における紙葉類の保留空間が前記区分け機構により複数の紙葉類収納領域に区分けされたときに、前記一時保留部に既に保留されている紙葉類について仮確定の処理を行う、請求項１記載の紙葉類処理装置。
【請求項３】
紙葉類の入金処理を行う際に前記異常検出手段により紙葉類に係る異常が検知されたときに、紙葉類の入金処理が中断され、前記制御部により仮確定の処理が行われた紙葉類が前記一時保留部から取り出されることなく異常が解消された後に紙葉類の入金処理が再開される、請求項２記載の紙葉類処理装置。
【請求項４】
紙葉類の出金処理を行う際に前記異常検出手段により紙葉類に係る異常が検知されたときに、紙葉類の出金処理が中断され、前記制御部により仮確定の処理が行われた紙葉類が前記一時保留部から取り出されることなく異常が解消された後に紙葉類の出金処理が再開される、請求項２記載の紙葉類処理装置。
【請求項５】
紙葉類の精査処理を行う際に前記異常検出手段により紙葉類に係る異常が検知されたときに、紙葉類の精査処理が中断され、前記制御部により仮確定の処理が行われた紙葉類が前記一時保留部から取り出されることなく異常が解消された後に紙葉類の精査処理が再開される、請求項２記載の紙葉類処理装置。
【請求項６】
前記一時保留部の入口近傍に存在する紙葉類を検知する検知手段を更に備え、
前記制御部は、前記検知手段により紙葉類が検知されない場合においてのみ、前記区分け機構を作動させるようになっている、請求項１乃至５のいずれか一項に記載の紙葉類処理装置。
【請求項７】
前記区分け機構は、前記一時保留部における紙葉類の保留空間を複数の紙葉類収納領域に区分けしたときに前記一時保留部に既に保留されている紙葉類が収納される紙葉類収納領域から紙葉類を取り出すことができないような構成となっている、請求項１乃至６のいずれか一項に記載の紙葉類処理装置。
【請求項８】
前記制御部は、前記異常検出手段により検出された異常が解消された後に前記一時保留部における紙葉類の保留空間を区分けしないよう前記区分け機構を制御する、請求項１乃至７のいずれか一項に記載の紙葉類処理装置。
【請求項９】
前記異常検出手段により異常が検出されたときに、前記区分け機構により区分けされた、前記一時保留部に新たに送られる紙葉類が収納される紙葉類収納領域のみから紙葉類を取り除く旨のガイダンスを報知する報知部が設けられている、請求項１乃至８のいずれか一項に記載の紙葉類処理装置。
【請求項１０】
紙葉類の処理を行う処理部、複数の紙葉類が保留される一時保留部、前記一時保留部における紙葉類の保留空間を複数の紙葉類収納領域に区分け可能な区分け機構、および前記処理部により処理される紙葉類に係る異常を検出する異常検出手段を有する紙葉類処理装置と、
前記紙葉類処理装置とは別に設けられ、当該紙葉類処理装置の管理を行う管理装置と、
を備えた紙葉類処理システムであって、
前記紙葉類処理装置において前記異常検出手段により異常が検出されたときに、前記一時保留部に既に保留されている紙葉類が収納される紙葉類収納領域と、前記一時保留部に新たに送られる紙葉類が収納される紙葉類収納領域とを区分けるよう前記区分け機構を制御する制御部を備えた、紙葉類処理システム。
【請求項１１】
前記制御部は前記管理装置に設けられている、請求項１０記載の紙葉類処理システム。
【請求項１２】
紙葉類の処理を行う際に一時保留部に紙葉類を保留させる工程と、
処理される紙葉類に係る異常を異常検出手段により検出する工程と、
前記異常検出手段により異常が検出されたときに、前記一時保留部に既に保留されている紙葉類が収納される紙葉類収納領域と、前記一時保留部に新たに送られる紙葉類が収納される紙葉類収納領域とを区分け機構により区分ける工程と、
を備えた、紙葉類処理方法。
【発明の詳細な説明】
【技術分野】
【０００１】
本発明は、紙幣や小切手、商品券等からなる紙葉類の入金処理、出金処理、精査処理等の処理を行う紙葉類処理装置、このような紙葉類処理装置を備えた紙葉類処理システムおよびこのような紙葉類処理装置による紙葉類処理方法に関する。
【背景技術】
【０００２】
紙幣の入金処理や出金処理等の様々な処理を行う紙幣処理装置として、従来から様々なタイプのものが知られている（例えば、特許文献１等参照）。特許文献１に開示される紙幣処理装置では、入金処理を行う際に、投入部により筐体の内部に投入された紙幣を識別部により識別した後に入金一時保留部に保留させ、入金確定の指令を受け付けると入金一時保留部に保留されている紙幣をこの入金一時保留部から繰り出して金種別収納部に金種別に収納させるようになっている。また、このような紙幣処理装置では、投入部により筐体の内部に投入された紙幣を入金一時保留部に送る際に搬送部等において紙幣の詰まり（ジャム）等の異常が発生すると、投入部から入金一時保留部までの搬送部の経路（搬送路）から紙幣を全て取り出すとともに入金一時保留部に保留されている紙幣を全て取り出し、異常を解消した後に全ての紙幣を投入部に再投入するようになっている。
【先行技術文献】
【特許文献】
【０００３】
【特許文献１】特許第５６０６７１１号
【発明の概要】
【発明が解決しようとする課題】
【０００４】
特許文献１等に開示されるような従来の紙幣処理装置では、大量の紙幣（例えば、２０００枚の紙幣）の入金処理を行う際に、入金一時保留部にある程度の数の紙幣（例えば、１５００枚の紙幣）が保留された状態で搬送部等において紙幣の詰まり（ジャム）等の異常が発生すると、入金一時保留部に保留されている大量の紙幣を全てこの入金一時保留部から取り出し、異常を解消した後に入金一時保留部から取り出された大量の紙幣を投入部に再投入して筐体の内部に繰り出させる必要があるため、入金処理が完了するまでに時間がかかってしまうという問題があった。
【０００５】
本発明は、このような点を考慮してなされたものであり、紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる紙葉類処理装置、紙葉類処理システムおよび紙葉類処理方法を提供することを目的とする。
【課題を解決するための手段】
【０００６】
本発明の紙葉類処理装置は、紙葉類の処理を行う処理部と、複数の紙葉類が保留される一時保留部と、前記一時保留部における紙葉類の保留空間を複数の紙葉類収納領域に区分け可能な区分け機構と、前記処理部により処理される紙葉類に係る異常を検出する異常検出手段と、前記異常検出手段により異常が検出されたときに、前記一時保留部に既に保留されている紙葉類が収納される紙葉類収納領域と、前記一時保留部に新たに送られる紙葉類が収納される紙葉類収納領域とを区分けるよう前記区分け機構を制御する制御部と、を備えたことを特徴とする。
【０００７】
このような紙葉類処理装置によれば、異常検出手段により異常が検出されたときに、一時保留部に既に保留されている紙葉類が収納される紙葉類収納領域と、一時保留部に新たに送られる紙葉類が収納される紙葉類収納領域とを区分け機構によって区分けることにより、紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる。
【０００８】
本発明の紙葉類処理装置においては、前記制御部は、前記一時保留部における紙葉類の保留空間が前記区分け機構により複数の紙葉類収納領域に区分けされたときに、前記一時保留部に既に保留されている紙葉類について仮確定の処理を行うようになっていてもよい。
【０００９】
この場合、紙葉類の入金処理を行う際に前記異常検出手段により紙葉類に係る異常が検知されたときに、紙葉類の入金処理が中断され、前記制御部により仮確定の処理が行われた紙葉類が前記一時保留部から取り出されることなく異常が解消された後に紙葉類の入金処理が再開されるようになっていてもよい。
【００１０】
また、紙葉類の出金処理を行う際に前記異常検出手段により紙葉類に係る異常が検知されたときに、紙葉類の出金処理が中断され、前記制御部により仮確定の処理が行われた紙葉類が前記一時保留部から取り出されることなく異常が解消された後に紙葉類の出金処理が再開されるようになっていてもよい。
【００１１】
また、紙葉類の精査処理を行う際に前記異常検出手段により紙葉類に係る異常が検知されたときに、紙葉類の精査処理が中断され、前記制御部により仮確定の処理が行われた紙葉類が前記一時保留部から取り出されることなく異常が解消された後に紙葉類の精査処理が再開されるようになっていてもよい。
【００１２】
本発明の紙葉類処理装置は、前記一時保留部の入口近傍に存在する紙葉類を検知する検知手段を更に備え、前記制御部は、前記検知手段により紙葉類が検知されない場合においてのみ、前記区分け機構を作動させるようになっていてもよい。
【００１３】
本発明の紙葉類処理装置においては、前記区分け機構は、前記一時保留部における紙葉類の保留空間を複数の紙葉類収納領域に区分けしたときに前記一時保留部に既に保留されている紙葉類が収納される紙葉類収納領域から紙葉類を取り出すことができないような構成となっていてもよい。
【００１４】
本発明の紙葉類処理装置においては、前記制御部は、前記異常検出手段により検出された異常が解消された後に前記一時保留部における紙葉類の保留空間を区分けしないよう前記区分け機構を制御するようになっていてもよい。
【００１５】
本発明の紙葉類処理装置においては、前記異常検出手段により異常が検出されたときに、前記区分け機構により区分けされた、前記一時保留部に新たに送られる紙葉類が収納される紙葉類収納領域のみから紙葉類を取り除く旨のガイダンスを報知する報知部が設けられていてもよい。
【００１６】
本発明の紙葉類処理システムは、紙葉類の処理を行う処理部、複数の紙葉類が保留される一時保留部、前記一時保留部における紙葉類の保留空間を複数の紙葉類収納領域に区分け可能な区分け機構、および前記処理部により処理される紙葉類に係る異常を検出する異常検出手段を有する紙葉類処理装置と、前記紙葉類処理装置とは別に設けられ、当該紙葉類処理装置の管理を行う管理装置と、を備えた紙葉類処理システムであって、前記紙葉類処理装置において前記異常検出手段により異常が検出されたときに、前記一時保留部に既に保留されている紙葉類が収納される紙葉類収納領域と、前記一時保留部に新たに送られる紙葉類が収納される紙葉類収納領域とを区分けるよう前記区分け機構を制御する制御部を備えたことを特徴とする。
【００１７】
このような紙葉類処理システムによれば、紙葉類処理装置において異常検出手段により異常が検出されたときに、一時保留部に既に保留されている紙葉類が収納される紙葉類収納領域と、一時保留部に新たに送られる紙葉類が収納される紙葉類収納領域とを区分け機構によって区分けることにより、紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる。
【００１８】
本発明の紙葉類処理システムにおいては、前記制御部は前記管理装置に設けられていてもよい。
【００１９】
本発明の紙葉類処理方法は、紙葉類の処理を行う際に一時保留部に紙葉類を保留させる工程と、処理される紙葉類に係る異常を異常検出手段により検出する工程と、前記異常検出手段により異常が検出されたときに、前記一時保留部に既に保留されている紙葉類が収納される紙葉類収納領域と、前記一時保留部に新たに送られる紙葉類が収納される紙葉類収納領域とを区分け機構により区分ける工程と、を備えたことを特徴とする。
【００２０】
このような紙葉類処理方法によれば、異常検出手段により異常が検出されたときに、一時保留部に既に保留されている紙葉類が収納される紙葉類収納領域と、一時保留部に新たに送られる紙葉類が収納される紙葉類収納領域とを区分け機構によって区分けることにより、紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる。
【発明の効果】
【００２１】
本発明の紙葉類処理装置、紙葉類処理システムおよび紙葉類処理方法によれば、紙葉類の詰まり等の異常が発生した場合でも一時保留部に既に保留されている紙葉類を当該一時保留部から取り出して投入部等に再投入する必要がなくなるため、紙葉類の処理が完了するまでの時間を短縮することができる。
【図面の簡単な説明】
【００２２】
【図１】本発明の実施の形態による貨幣入出金機の外観を示す斜視図である。
【図２】図１に示す貨幣入出金機における紙幣入出金装置の内部構成を概略的に示す概略構成図である。
【図３】図２に示す紙幣入出金装置の入金一時保留部の構成を示す側面図である。
【図４】図２に示す紙幣入出金装置の筐体に設けられた前扉を背面側から見たときの構成を示す斜視図である。
【図５】図３等に示す入金一時保留部の構成を示す斜視図である。
【図６】図５に示す入金一時保留部の構成を示す斜視図であって、（ａ）は、セパレータが退避位置にあるときの状態を示す図であり、（ｂ）は、セパレータが区分け位置にあるときの状態を示す図である。
【図７】図１に示す貨幣入出金機における制御系の構成を示す機能ブロック図である。
【図８】（ａ）〜（ｄ）は、図１に示す貨幣入出金機の紙幣入出金装置において紙幣の入金処理が行われる際に異常が発生したときの入金一時保留部のセパレータの動作を順に示す側面図である。
【図９】本発明の実施の形態による他の構成の貨幣入出金機の外観を示す斜視図である。
【図１０】図９に示す貨幣入出金機の内部構成を概略的に示す概略構成図である。
【図１１】図９に示す貨幣入出金機における制御系の構成を示す機能ブロック図である。
【発明を実施するための形態】
【００２３】
以下、図面を参照して本発明の実施の形態について説明する。図１乃至図８は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図である。また、図３は、図２に示す紙幣入出金装置の入金一時保留部の構成を示す側面図であり、図４は、図２に示す紙幣入出金装置の筐体に設けられた前扉を背面側から見たときの構成を示す斜視図である。また、図５は、図３等に示す入金一時保留部の構成を示す斜視図であり、図６（ａ）（ｂ）は、図５に示す入金一時保留部の構成を示す斜視図である。また、図７は、図１に示す貨幣入出金機における制御系の構成を示す機能ブロック図である。また、図８（ａ）〜図８（ｄ）は、図１に示す貨幣入出金機の紙幣入出金装置において紙幣の入金処理が行われる際に異常が発生したときの入金一時保留部のセパレータの動作を順に示す側面図である。
【００２４】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。なお、貨幣入出金機１における紙幣入出金装置１０および硬貨入出金装置１１０のうち硬貨入出金装置１１０の詳細な説明は省略する。
【００２５】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２６】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２７】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図７参照）によりそれぞれ駆動されるようになっている。
【００２８】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２９】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３０】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３１】
また、図２に示すように、搬送部１８には入金一時保留部３０および複数（図２に示す例では４つ）のバラ紙幣収納部３２がそれぞれ接続されており、搬送部１８からこれらの入金一時保留部３０や各バラ紙幣収納部３２にバラ紙幣が送られるようになっている。これらの入金一時保留部３０や各バラ紙幣収納部３２には図２における上下方向に移動可能となっているステージ３０ａ、３２ａがそれぞれ設けられており、これらのステージ３０ａ、３２ａ上でバラ紙幣が積層状態で集積されるようになっている。
【００３２】
また、入金一時保留部３０の上端部の近傍には紙幣繰出繰入部３０ｂが設けられており、当該入金一時保留部３０に一時的に保留されているバラ紙幣は紙幣繰出繰入部３０ｂより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各バラ紙幣収納部３２に収納される前に一時的に保留されるようになっている。また、入金一時保留部３０には、当該入金一時保留部３０における紙幣の保留空間を２つの紙幣収納領域に区分け可能なセパレータ３０ｃが図２における上下方向に移動自在に設けられている。このような入金一時保留部３０の構成の詳細については後述する。
【００３３】
また、各バラ紙幣収納部３２の上端部の近傍には紙幣繰出繰入部３２ｂが設けられており、各バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から各バラ紙幣収納部３２にバラ紙幣が１枚ずつ繰り入れられるようになっている。ここで、各バラ紙幣収納部３２には、それぞれ予め設定された特定の金種のバラ紙幣が収納されるようになっている。なお、予め設定された特定の金種のバラ紙幣が収納されるバラ紙幣収納部３２が４つ設けられる代わりに、複数のバラ紙幣収納部３２のうち少なくとも１つのバラ紙幣収納部３２に複数の金種のバラ紙幣が混合状態で収納されるようになっていてもよい。
【００３４】
図１および図２に示すように、筐体１２の下部には下部扉１２ａが設けられており、この下部扉１２ａを開くことにより操作者は入金一時保留部３０の内部にアクセスすることができるようになっている。このような下部扉１２ａの構成の詳細については後述する。また、入金一時保留部３０および各バラ紙幣収納部３２は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は各バラ紙幣収納部３２を引出ユニット１３から取り外したり引出ユニット１３に装着したりすることができるようになる。また、本実施の形態による紙幣入出金装置１０では、引出ユニット１３を筐体１２の内部にロックするためのロック機構５０（図７参照）が引出ユニット１３に設けられている。
【００３５】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３６】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３７】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達すると、ステージ４６ａ上から帯封紙幣投出部４８に帯封紙幣を受け渡すことができるようになる。そして、ステージ４６ａ上から帯封紙幣投出部４８に帯封紙幣が受け渡された後、シャッター４８ａが開くと、操作者は帯封紙幣投出部４８の内部にアクセスしてこの帯封紙幣投出部４８に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３８】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３９】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４０】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４１】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが受渡し位置まで下降してこのステージ４６ａ上から帯封紙幣投出部４８に帯封紙幣が受け渡されるようになる。
【００４２】
次に、本実施の形態の紙幣入出金装置１０における入金一時保留部３０および下部扉１２ａの構成の詳細について図３乃至図６を用いて説明する。
【００４３】
上述したように、本実施の形態の紙幣入出金装置１０における入金一時保留部３０の内部にはステージ３０ａが設けられている。ステージ３０ａは図２における上下方向に移動可能となっており、搬送部１８から紙幣繰出繰入部３０ｂにより入金一時保留部３０の内部に送られたバラ紙幣はステージ３０ａ上に積層状態で集積されるようになっている。また、この際に、搬送部１８から入金一時保留部３０の内部に所定枚数のバラ紙幣が送られる度にステージ３０ａは少しずつ図２における下方向に移動するようになっている。また、入金一時保留部３０の内部に一時的に保留されているバラ紙幣を紙幣繰出繰入部３０ｂにより搬送部１８に繰り出す場合には、ステージ３０ａが図２における上方向に移動し、このステージ３０ａに積層状態で集積されている複数のバラ紙幣のうち最上層に位置するバラ紙幣を紙幣繰出繰入部３０ｂのキッカローラ８０ｂ（後述）に当接させるようになっている。
【００４４】
このようなステージ３０ａは図３に示す駆動部９１により図２や図３における上下方向に移動させられるようになっている。駆動部９１は、駆動モータ９１ａと、駆動モータ９１ａのプーリに掛けられた循環ベルト９１ｂとを有しており、この循環ベルト９１ｂにステージ３０ａが取り付けられている。また、循環ベルト９１ｂは概ね入金一時保留部３０の内部で上下方向に延びるよう設けられている。また、駆動モータ９１ａは正逆両方向に回転可能となっており、このことにより循環ベルト９１ｂは図３における時計回りの方向および反時計回りの方向の両方向に循環移動することができるようになっている。そして、駆動モータ９１ａが回転して循環ベルト９１ｂが循環移動を行うことにより、この循環ベルト９１ｂに取り付けられたステージ３０ａが図３における上下方向に移動するようになる。
【００４５】
また、ステージ３０ａには検知板９０ａが取り付けられており、入金一時保留部３０の内部における下部領域にはこの検知板９０ａを検知するためのフォトインタラプタ等の２つの検知センサ９２ａ、９２ｂが設けられている。ここで、ステージ３０ａが上方位置に位置するときにはこのステージ３０ａに取り付けられている検知板９０ａが各検知センサ９２ａ、９２ｂにより検知されないが、ステージ３０ａが下降するとまず検知板９０ａが上側の検知センサ９２ａにより検知される。そして、ステージ３０ａが更に下降すると検知板９０ａが下側の検知センサ９２ｂにより検知される。ここで、下側の検知センサ９２ｂはステージ３０ａが下限位置に到達したことを検知するための下限センサとして機能するようになっており、下側の検知センサ９２ｂにより検知板９０ａが検知されると駆動部９１の駆動モータ９１ａが停止させられてステージ３０ａが下方向にこれ以上移動しないようになっている。
【００４６】
図３や図５等に示すように、入金一時保留部３０の上端部近傍に設けられた紙幣繰出繰入部３０ｂは、左右一対のフィードローラ８０ａと、左右一対のキッカローラ８０ｂと、各フィードローラ８０ａに対向するよう設けられたゲートローラ８０ｃとを有している。ここで、搬送部１８から紙幣繰出繰入部３０ｂにより入金一時保留部３０にバラ紙幣を送る際には、各フィードローラ８０ａと各ゲートローラ８０ｃとの間に形成されたゲート部を通過したバラ紙幣が入金一時保留部３０の内部に送られてステージ３０ａ上に集積されるようになる。また、入金一時保留部３０に一時的に保留されているバラ紙幣を紙幣繰出繰入部３０ｂにより搬送部１８に繰り出す際には、ステージ３０ａに集積されている複数のバラ紙幣のうち最上層に位置するバラ紙幣が各キッカローラ８０ｂにより各フィードローラ８０ａに向かって蹴り出され、これらのキッカローラ８０ｂにより蹴り出されたバラ紙幣が各フィードローラ８０ａにより１枚ずつ搬送部１８に繰り出されるようになる。この際に、各フィードローラ８０ａにより繰り出されるバラ紙幣は各フィードローラ８０ａと各ゲートローラ８０ｃとの間に形成されたゲート部を通過することにより１枚ずつに分離されるようになっている。
【００４７】
また、本実施の形態の紙幣入出金装置１０では、入金一時保留部３０の内部においてステージ３０ａの上方にセパレータ３０ｃ（区分け部材）が設けられており、このセパレータ３０ｃにより入金一時保留部３０の内部を複数（図２や図３に示す例では２つ）の紙幣収納領域に区分けることができるようになっている。ここで、セパレータ３０ｃは、入金一時保留部３０の内部を２つの紙幣収納領域に区分ける区分け位置（具体的には、図２において二点鎖線で示す位置）と、入金一時保留部３０の内部を１つの紙幣収納領域とする退避位置（具体的には、図２において実線で示す位置）との間で図２における上下方向に移動自在となっている。より詳細には、セパレータ３０ｃが区分け位置に移動したときには、当該セパレータ３０ｃは紙幣繰出繰入部３０ｂの下方に位置するようになる。このことにより、ステージ３０ａとセパレータ３０ｃとの間に第１紙幣収納領域が形成されるとともに、セパレータ３０ｃと紙幣繰出繰入部３０ｂとの間に第２紙幣収納領域が形成されるようになる。一方、セパレータ３０ｃが退避位置に移動したときには、当該セパレータ３０ｃは、後述するように上側セパレータ部分９４が後退位置にあって前後方向に縮小した状態となって紙幣繰出繰入部３０ｂの手前側（前方）に位置するようになる。このことにより、ステージ３０ａと紙幣繰出繰入部３０ｂとの間に１つの紙幣収納領域が形成されるようになる（図３において参照符合３０ｐで表示）。なお、本実施の形態では、セパレータ３０ｃには当該セパレータ３０ｃを入金一時保留部３０の内部で上下方向に移動させる駆動源が設けられておらず、セパレータ３０ｃはステージ３０ａと連れ立って入金一時保留部３０の内部で上下方向に移動するようになっている。
【００４８】
本実施の形態では、図３、図５および図６に示すように、セパレータ３０ｃは、上側セパレータ部分９４および下側セパレータ部分９６からなる２つのセパレータ部分から構成されている。なお、図６（ａ）は、セパレータ３０ｃが退避位置にあるときの上側セパレータ部分９４および下側セパレータ部分９６の状態を示す図であり、図６（ｂ）は、セパレータ３０ｃが区分け位置にあるときの上側セパレータ部分９４および下側セパレータ部分９６の状態を示す図である。ここで、セパレータ３０ｃが図６（ａ）に示すような退避位置にあるときには、当該セパレータ３０ｃは図示しないロック部によってロックされ、退避位置からセパレータ３０ｃが自重により入金一時保留部３０内で下方向に落下しないようになっている。一方、このようなロック部によるセパレータ３０ｃのロックが外れると、当該セパレータ３０ｃは自重により入金一時保留部３０内で下方向に落下するようになり、ステージ３０ａに集積されている紙幣の上にセパレータ３０ｃが載るようになる。この際に、ステージ３０ａに紙幣が集積されていない場合には、ステージ３０ａにセパレータ３０ｃが直接載るようになる。
【００４９】
また、入金一時保留部３０の内部における上下方向の中央位置には、セパレータ３０ｃ（具体的には、下側セパレータ部分９６）の移動を規制するための規制部材（図示せず）が設けられており、ロック部によるロックが解除されたセパレータ３０ｃの下側セパレータ部分９６はこの規制部材よりも下方に移動することができないようになっている。
【００５０】
また、図３、図５および図６に示すように、上側セパレータ部分９４の奥行き方向の長さは、下側セパレータ部分９６の奥行き方向の長さの約半分の大きさとなっている。また、上側セパレータ部分９４は、下側セパレータ部分９６の奥行き方向における手前側の半分の領域である後退位置と、下側セパレータ部分９６の奥行き方向における奥側の半分の領域である進出位置との間で移動自在となっている。より詳細には、上側セパレータ部分９４と下側セパレータ部分９６との間には図３における左右方向に伸縮可能となっているパンタグラフ機構（図示せず）が設けられており、このパンタグラフ機構が伸縮すると下側セパレータ部分９６に対して上側セパレータ部分９４が図３における左右方向に移動するようになる。このことにより、セパレータ３０ｃが図２に示すような実線位置に位置するときには、下側セパレータ部分９６を図６（ａ）に示すような後退位置に位置させることにより、この下側セパレータ部分９６と紙幣繰出繰入部３０ｂの各キッカローラ８０ｂとが衝突してしまうことを防止することができるようになる。
【００５１】
また、図３に示すように、入金一時保留部３０の内部には、上側セパレータ部分９４の位置を検知するためのフォトインタラプタ等の３つの検知センサ９５ａ、９５ｂ、９５ｃが設けられている。ロック部によりセパレータ３０ｃがロックされており、当該セパレータ３０ｃが図２の実線で示すような退避位置に位置しているときには、上側セパレータ部分９４に取り付けられた検知板９４ａが検知センサ９５ｃにより検知されるようになる。このことにより、後述する制御部３００においてセパレータ３０ｃが図２の実線で示すような退避位置に位置していると判断されるようになる。一方、ロック部によるセパレータ３０ｃのロックが解除され、当該セパレータ３０ｃが図２の実線で示すような退避位置から下方向に移動すると、上側セパレータ部分９４に取り付けられた検知板９４ａが検知センサ９５ａ、９５ｂにより検知されるようになる。このようにして、セパレータ３０ｃが図２の実線で示すような退避位置から下方向に移動したときの当該セパレータ３０ｃの位置が検知されるようになる。
【００５２】
本実施の形態では、このようなセパレータ３０ｃおよび当該セパレータ３０ｃを退避位置にロックするロック部等により、入金一時保留部３０におけるバラ紙幣の保留空間を複数（具体的には、２つ）の紙幣収納領域に区分け可能な区分け機構が構成されている。
【００５３】
また、本実施の形態の紙幣入出金装置１０では、図４および図５に示すように、筐体１２に設けられた下部扉１２ａは外扉部分１２ｂおよび内扉部分１２ｃからなる二重の扉部分から構成されている。ここで、内扉部分１２ｃは外扉部分１２ｂにロック可能となっているとともに、この内扉部分１２ｃは筐体１２にもロック可能となっている。内扉部分１２ｃが外扉部分１２ｂにロックされた場合には、これらの外扉部分１２ｂおよび内扉部分１２ｃは一体的に開閉するようになり、外扉部分１２ｂおよび内扉部分１２ｃを開くと入金一時保留部３０におけるセパレータ３０ｃにより区分けされた全ての紙幣収納領域（すなわち、上述したようなセパレータ３０ｃより下側の第１紙幣収納領域およびセパレータ３０ｃより上側の第２紙幣収納領域）にアクセス可能となる。このことにより、操作者は外扉部分１２ｂおよび内扉部分１２ｃを一体的に開いたときに入金一時保留部３０におけるセパレータ３０ｃにより区分けされた各紙幣収納領域からバラ紙幣を取り出したりこれらの各紙幣収納領域にバラ紙幣を投入したりすることができるようになる。
【００５４】
一方、内扉部分１２ｃが筐体１２にロックされた場合には、この内扉部分１２ｃを動かすことができなくなるため外扉部分１２ｂのみが開閉するようになる。この場合には、外扉部分１２ｂを開いたときに、入金一時保留部３０におけるセパレータ３０ｃにより区分けされた複数の紙幣収納領域のうち一部の紙幣収納領域（具体的には、セパレータ３０ｃと紙幣繰出繰入部３０ｂとの間にある第２紙幣収納領域）のみにアクセス可能となる。このことにより、操作者は外扉部分１２ｂのみを開いたときにセパレータ３０ｃと紙幣繰出繰入部３０ｂとの間にある第２紙幣収納領域からバラ紙幣を取り出したりこの第２紙幣収納領域にバラ紙幣を投入したりすることができるようになるが、ステージ３０ａとセパレータ３０ｃとの間にある第１紙幣収納領域からバラ紙幣を取り出したりこの第１紙幣収納領域にバラ紙幣を投入したりすることができなくなる。ここで、第１紙幣収納領域からバラ紙幣を取り出すことができないようにするために、内扉部分１２ｃの上端縁の高さは、規制部材（図示せず）によりその下限位置が規制されたセパレータ３０ｃ（具体的には、下側セパレータ部分９６）の当該下限位置と同じ高さかそれよりも高い位置に設定されている。なお、内扉部分１２ｃを外扉部分１２ｂと筐体１２のどちらの側にロックするかは、操作者がアクセスしようとする紙幣収納領域によって決められるようになっている。また、ロック機構としては、例えば電気的ロック機構が用いられるようになっている。このような下部扉１２ａの構造によれば、アクセスしようとする紙幣収納領域に関係なく、操作者にしてみれば外扉部分１２ｂを開けるという共通の動作で、第１紙幣収納領域と第２紙幣収納領域の全てにアクセスできたり、第２紙幣収納領域のみにアクセスできたりするので扱いやすく操作性に優れたものとなる。
【００５５】
また、図２に示すように、本実施の形態による紙幣入出金装置１０において、入金一時保留部３０への出入り口（具体的には、紙幣繰出繰入部３０ｂの近傍）には紙幣検知センサ３１が設けられており、搬送部１８から入金一時保留部３０に送られる直前のバラ紙幣や入金一時保留部３０から紙幣繰出繰入部３０ｂにより繰り出された直後のバラ紙幣が紙幣検知センサ３１により検知されるようになっている。このような紙幣検知センサ３１によるバラ紙幣の検知情報は後述する制御部３００に送られるようになっている。
【００５６】
また、本実施の形態の貨幣入出金機１には、当該貨幣入出金機１の各構成部材の制御を行う制御部３００が設けられている。より詳細には、図７に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａを駆動する駆動部９１や紙幣繰出繰入部３０ｂ、およびセパレータ３０ｃを退避位置にロックするロック部等）、紙幣検知センサ３１、各バラ紙幣収納部３２（具体的には、各バラ紙幣収納部３２に設けられたステージ３２ａの駆動機構（図示せず）や紙幣繰出繰入部３２ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や紙幣検知センサ３１によるバラ紙幣の検知結果に係る信号、および判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００５７】
また、図７に示すように、紙幣入出金装置１０には、当該紙幣入出金装置１０の各構成部材（具体的には、例えば搬送部１８）により処理される紙幣に係る異常を検出する異常検出手段８６が設けられており、この異常検出手段８６は制御部３００に接続されている。具体的には、異常検出手段８６は、搬送部１８等においてバラ紙幣の詰まり（ジャム）が生じたときにこのことを検出するようになっている。また、異常検出手段８６による検出情報は制御部３００に送信されるようになっている。
【００５８】
また、図７に示すように、制御部３００には、硬貨入出金装置１１０の各構成部材が制御されるようになっており、当該制御部３００は、硬貨入出金装置１１０の各構成部材に指令の信号を送ることによりこれらの構成部材の動作を制御するようになっている。また、制御部３００には、操作表示部３０２、印字部３０４、記憶部３０６および通信インターフェース部３０８がそれぞれ接続されている。図１に示すように、操作表示部３０２は、例えば硬貨入出金装置１１０の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００５９】
次に、このような構成からなる貨幣入出金機１の紙幣入出金装置１０の動作（具体的には、バラ紙幣の入金処理、出金処理および精査処理）について説明する。
【００６０】
まず、本実施の形態による紙幣入出金装置１０においてバラ紙幣の入金処理が行われる際の動作について説明する。紙幣入出金装置１０においてバラ紙幣の入金処理を行うにあたり、操作者が投入部１４に１または複数のバラ紙幣を積層状態で投入し、操作表示部３０２によりバラ紙幣の入金処理開始の指令を制御部３００に与えると、投入部１４に投入されたバラ紙幣は１枚ずつ繰出部１６により筐体１２の内部に繰り出され、この繰り出されたバラ紙幣は搬送部１８により識別部２０に搬送される。そして、識別部２０によりバラ紙幣の金種、真偽、表裏、正損、新旧、搬送状態等が識別された後、表裏反転部２２によりその表裏が揃うように反転させられる。その後、識別部２０により正常な紙幣であると識別されたバラ紙幣は搬送部１８により入金一時保留部３０に送られ、この入金一時保留部３０に保留される。この際に、搬送部１８から入金一時保留部３０の内部に所定枚数のバラ紙幣が送られる度にステージ３０ａは少しずつ図２における下方向に移動する。また、入金一時保留部３０のセパレータ３０ｃは図示しないロック部により図２の実線で示すような退避位置に位置するようロックされている。一方、識別部２０により正常な紙幣ではないと識別されたバラ紙幣や識別部２０により識別することができなかったバラ紙幣はリジェクト紙幣としてバラ紙幣投出部２４に送られる。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。
【００６１】
そして、投入部１４に投入されたバラ紙幣が全て筐体１２の内部に繰り出されて入金一時保留部３０等に送られることにより投入部１４にバラ紙幣が存在しなくなると、操作表示部３０２には入金確定の指令を操作者に求める画面が表示されるようになる。そして、操作者が操作表示部３０２により入金確定の指令を入力すると、入金されたバラ紙幣の明細書が発行されるとともに、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別され、その後、搬送部１８によって各バラ紙幣収納部３２に金種毎に送られ、これらのバラ紙幣収納部３２に金種毎に収納されるようになる。そして、入金一時保留部３０に保留されているバラ紙幣が全て各バラ紙幣収納部３２に振り分けられると、紙幣入出金装置１０におけるバラ紙幣の入金処理の一連の動作が完了する。一方、操作表示部３０２に入金確定の指令を操作者に求める画面が表示されているときに、操作者が入金確定の指令ではなく返却の指令を入力すると、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出すことができるようになる。
【００６２】
また、本実施の形態による紙幣入出金装置１０では、上記のバラ紙幣の入金処理が行われている最中に、搬送部１８においてバラ紙幣が詰まる等の異常（エラー）が発生した場合には、入金一時保留部３０における紙幣の保留領域がセパレータ３０ｃにより２つの紙幣収納領域に区分けられるようになっており、異常が発生した後に搬送部１８により入金一時保留部３０に送られたバラ紙幣はセパレータ３０ｃの上に載置されるようになっている。このような本実施の形態による紙幣入出金装置１０においてバラ紙幣の入金処理が行われる際に異常が発生したときの入金一時保留部３０のセパレータ３０ｃの動作について図８（ａ）〜（ｄ）に示す側面図を用いて説明する。
【００６３】
上述したように、バラ紙幣の入金処理が行われる際に、紙幣入出金装置１０の各構成部材（具体的には、例えば搬送部１８）により処理される紙幣に係る異常が異常検出手段８６により検出されていない状態では、搬送部１８から入金一時保留部３０の内部に所定枚数のバラ紙幣が送られる度にステージ３０ａは少しずつ下方向に移動する。ここで、ステージ３０ａ上に集積されるバラ紙幣を参照符合Ｐで示す。また、入金一時保留部３０のセパレータ３０ｃは図示しないロック部により紙幣繰出繰入部３０ｂよりも上方の退避位置に位置するようロックされている（図８（ａ）参照）。これに対し、紙幣入出金装置１０の各構成部材により処理される紙幣に係る異常が異常検出手段８６により検出されると、具体的には例えば搬送部１８により搬送されるバラ紙幣に詰まり（ジャム）が生じたことが異常検出手段８６により検出されると、入金一時保留部３０の出入り口にバラ紙幣が存在しないことが紙幣検知センサ３１により検知されたことを条件として、ロック部によるセパレータ３０ｃのロックが解除され、図８（ｂ）に示すようにセパレータ３０ｃが入金一時保留部３０の内部を２つの紙幣収納領域に区分ける区分け位置に移動するようになる。ここで、セパレータ３０ｃが区分け位置に移動したときには、当該セパレータ３０ｃは紙幣繰出繰入部３０ｂの下方に位置するようになる。このことにより、ステージ３０ａとセパレータ３０ｃとの間に第１紙幣収納領域が形成されるとともに、セパレータ３０ｃと紙幣繰出繰入部３０ｂとの間に第２紙幣収納領域が形成されるようになる。図８（ｂ）に示すように、バラ紙幣の入金処理が行われる際に入金一時保留部３０に既に保留されているバラ紙幣はステージ３０ａとセパレータ３０ｃとの間の第１紙幣収納領域に収納されるようになる。
【００６４】
また、紙幣入出金装置１０の各構成部材により処理される紙幣に係る異常が異常検出手段８６により検出されたときに、搬送部１８に搬送中のバラ紙幣が残っている場合には当該バラ紙幣が入金一時保留部３０に送られる。この際に、図８（ｃ）に示すように、異常検出手段８６により異常が検出された後に入金一時保留部３０に送られたバラ紙幣はセパレータ３０ｃの上に載置されるようになる。言い換えると、異常検出手段８６により異常が検出された後に入金一時保留部３０に送られたバラ紙幣は第２紙幣収納領域に収納されるようになる。図８（ｃ）において、異常が発生した後に入金一時保留部３０に送られたバラ紙幣を参照符合Ｐ´で示す。また、制御部３００は、入金一時保留部３０におけるバラ紙幣の保留空間がセパレータ３０ｃにより２つの紙幣収納領域に区分けされたときに、入金一時保留部３０に既に保留されているバラ紙幣（すなわち、ステージ３０ａとセパレータ３０ｃとの間の第１紙幣収納領域に収納されているバラ紙幣）について仮確定の処理を行う。具体的には、第１紙幣収納領域に収納されているバラ紙幣の金種別枚数や合計金額に関する情報が保留済み紙幣の情報として記憶部３０６に記憶される。このことにより、後述するように異常が解消された後にバラ紙幣の入金処理が再開された場合にも、入金一時保留部３０に既に保留されているバラ紙幣を筐体１２の外部に取り出すことなくそのまま利用することができるようになる。
【００６５】
本実施の形態では、バラ紙幣の入金処理を行う際に異常検出手段８６によりバラ紙幣に係る異常が検知されたときに、バラ紙幣の入金処理が中断され、制御部３００により仮確定の処理が行われたバラ紙幣が入金一時保留部３０から取り出されることなく異常が解消された後にバラ紙幣の入金処理が再開されるようになっている。より詳細に説明すると、紙幣入出金装置１０の各構成部材により処理される紙幣に係る異常が異常検出手段８６により検出されると、下部扉１２ａにおける内扉部分１２ｃが筐体１２にロックされるようになる。このことにより、内扉部分１２ｃを動かすことができなくなるため下部扉１２ａにおける外扉部分１２ｂのみが開閉するようになる。また、異常検出手段８６により異常が検出されたときに、筐体１２の内部から（具体的には、例えば搬送部１８の搬送路から）異常の原因となるバラ紙幣を取り除く旨のガイダンスが操作表示部３０２に表示されるようになる。また、操作表示部３０２には、セパレータ３０ｃにより区分けされた、入金一時保留部３０に新たに送られるバラ紙幣が収納される第２紙幣収納領域のみからバラ紙幣を取り除く旨のガイダンスも表示されるようになる。そして、操作者が異常の原因となるバラ紙幣を筐体１２の内部から外部に取り出すとともに、異常が発生した後に入金一時保留部３０に送られたバラ紙幣（すなわち、第２紙幣収納領域に収納されているバラ紙幣）をこの入金一時保留部３０から筐体１２の外部に取り出し、取り出されたバラ紙幣を投入部１４に再投入する。ここで、異常が発生した後に入金一時保留部３０に送られたバラ紙幣をこの入金一時保留部３０から筐体１２の外部に取り出すにあたり、操作者は下部扉１２ａの外扉部分１２ｂを開き、セパレータ３０ｃの上に載置されているバラ紙幣を筐体１２の外部に取り出すようになる。本実施の形態では、上述したように、下部扉１２ａにおける内扉部分１２ｃが筐体１２にロックされている場合には、外扉部分１２ｂのみを開いたときにセパレータ３０ｃと紙幣繰出繰入部３０ｂとの間にある第２紙幣収納領域からバラ紙幣を取り出すことができるようになるが、ステージ３０ａとセパレータ３０ｃとの間にある第１紙幣収納領域からバラ紙幣を取り出すことができなくなる。このため、異常が発生する前に入金一時保留部３０に既に保留されているバラ紙幣を操作者が誤って取り出してしまうことを防止することができる。
【００６６】
そして、異常が解除された後、操作者が操作表示部３０２によりバラ紙幣の入金処理の再開の指令を入力すると、図８（ｄ）に示すようにセパレータ３０ｃが退避位置に戻るようになる。具体的には、駆動部９１によってステージ３０ａが上昇し、このステージ３０ａ上に載置されている紙幣に乗った状態のセパレータ３０ｃが退避位置まで移動すると、ロック部によりセパレータ３０ｃが退避位置にロックされるようになる。このことにより、再開されたバラ紙幣の入金処理において投入部１４から繰出部１６により筐体１２の内部に投入されたバラ紙幣（すなわち、投入部１４、搬送部１８および入金一時保留部３０の第２紙幣収納領域から回収されたバラ紙幣）を識別部２０により識別した後に入金一時保留部３０で保留させることができるようになる。また、この際に、異常が発生する前に入金一時保留部３０に既に保留されているバラ紙幣および異常が解除された後に入金一時保留部３０に送られたバラ紙幣を同じ紙幣収納領域に収納させることができるようになる。このときに、新たに計数されたバラ紙幣の情報が、仮確定されていたバラ紙幣の情報に加算されて、合計分が入金紙幣情報として処理可能となる。
【００６７】
なお、紙幣入出金装置１０の各構成部材により処理されるバラ紙幣に係る異常が異常検出手段８６により検出されたときに、入金一時保留部３０の出入り口にバラ紙幣が存在することが紙幣検知センサ３１により検知された場合には、入金一時保留部３０内の紙幣量を特定できないため、全ての紙幣を回収して投入部１４に再投入することにより再計数する必要がある。そのときは、「全ての保留紙幣を取り出して投入部１４に再投入することにより再計数する」旨のガイダンスが操作表示部３０２に表示される。
【００６８】
このように、本実施の形態による紙幣入出金装置１０では、バラ紙幣の入金処理が行われる際に異常が発生したときでも、入金一時保留部３０における紙幣の保留領域をセパレータ３０ｃにより２つの紙幣収納領域に区分けることによって、搬送部１８におけるバラ紙幣の詰まり等の異常が発生した場合でも入金一時保留部３０に既に保留されているバラ紙幣を当該入金一時保留部３０から取り出して投入部１４に再投入する必要がなくなるため、バラ紙幣の入金処理が完了するまでの時間を短縮することができる。より詳細に説明すると、従来の紙幣処理装置では、大量の紙幣（例えば、２０００枚の紙幣）の入金処理を行う際に、入金一時保留部にある程度の数の紙幣（例えば、１５００枚の紙幣）が保留された状態で搬送部等において紙幣の詰まり（ジャム）等の異常が発生すると、入金一時保留部に保留されている大量の紙幣を全てこの入金一時保留部から取り出し、異常を解消した後に入金一時保留部から取り出された大量の紙幣を投入部に再投入して筐体の内部に繰り出させる必要があるため、入金処理が完了するまでに時間がかかってしまうという問題があった。これに対し、本実施の形態による紙幣入出金装置１０では、入金一時保留部３０に既に保留されているバラ紙幣を当該入金一時保留部３０から取り出して投入部１４に再投入する必要がないため、入金一時保留部３０にある程度の数の紙幣（例えば、１５００枚の紙幣）が保留された状態で搬送部１８等において紙幣の詰まり（ジャム）等の異常が発生しても、入金一時保留部３０に既に保留されているバラ紙幣を取り出すことなく異常が解消した後にバラ紙幣の入金処理を再開させることができるようになる。
【００６９】
次に、本実施の形態による紙幣入出金装置１０においてバラ紙幣の出金処理が行われる際の動作について説明する。紙幣入出金装置１０においてバラ紙幣の出金処理を行うにあたり、操作者がバラ紙幣の出金処理の指令を出金されるべきバラ紙幣の金種毎の枚数や合計金額に係る情報とともに操作表示部３０２により入力すると、出金されるべき金種のバラ紙幣が各バラ紙幣収納部３２から搬送部１８に繰り出され、当該搬送部１８により識別部２０に搬送される。そして、識別部２０によりバラ紙幣の金種、真偽、表裏、正損、新旧、搬送状態等が識別された後、識別部２０により正常な紙幣であると識別されたバラ紙幣は搬送部１８によりバラ紙幣投出部２４に送られ、このバラ紙幣投出部２４に集積される。一方、識別部２０により正常な紙幣ではないと識別されたバラ紙幣（具体的には、例えば搬送異常であると識別されたバラ紙幣）は、搬送部１８により出金リジェクト部２６に送られ、この出金リジェクト部２６に集積される。その後、出金されるべきバラ紙幣が全て各バラ紙幣収納部３２からバラ紙幣投出部２４に送られると、このバラ紙幣投出部２４に設けられたシャッター２４ａが開くようになる。このことにより、操作者は出金されたバラ紙幣をバラ紙幣投出部２４から取り出すことができるようになる。
【００７０】
また、本実施の形態による紙幣入出金装置１０では、バラ紙幣投出部２４の容量（例えば、約１００枚）以上の枚数のバラ紙幣を出金したい場合に、出金されるべきバラ紙幣を各バラ紙幣収納部３２からバラ紙幣投出部２４に送る代わりに、各バラ紙幣収納部３２から入金一時保留部３０に出金されるべきバラ紙幣を送り、この入金一時保留部３０の前面に設けられた下部扉１２ａを開くことにより出金されたバラ紙幣を入金一時保留部３０から取り出すことができるような動作を行うことができるようになっている。このような動作について以下に説明する。
【００７１】
紙幣入出金装置１０においてバラ紙幣の出金処理を行うにあたり、操作者がバラ紙幣の出金処理の指令を出金されるべきバラ紙幣の金種毎の枚数に係る情報とともに操作表示部３０２により入力すると、出金されるべき金種のバラ紙幣が各バラ紙幣収納部３２から搬送部１８に繰り出され、当該搬送部１８により識別部２０に搬送される。そして、識別部２０によりバラ紙幣の金種、真偽、表裏、正損、新旧、搬送状態等が識別された後、識別部２０により正常な紙幣であると識別されたバラ紙幣は搬送部１８により入金一時保留部３０に送られ、この入金一時保留部３０のステージ３０ａ上に集積される。この際に、搬送部１８から入金一時保留部３０の内部に所定枚数のバラ紙幣が送られる度にステージ３０ａは少しずつ図２における下方向に移動する。また、入金一時保留部３０のセパレータ３０ｃは図示しないロック部により図２の実線で示すような退避位置に位置するようロックされている。一方、識別部２０により正常な紙幣ではないと識別されたバラ紙幣（具体的には、例えば搬送異常であると識別されたバラ紙幣）は、搬送部１８により出金リジェクト部２６に送られ、この出金リジェクト部２６に集積される。その後、出金されるべきバラ紙幣が全て各バラ紙幣収納部３２から入金一時保留部３０に送られると、操作者は下部扉１２ａを開くことにより入金一時保留部３０のステージ３０ａ上に集積されているバラ紙幣を取り出すことができるようになる。なお、この際に、下部扉１２ａにおいて内扉部分１２ｃが外扉部分１２ｂにロックされるようになり、これらの外扉部分１２ｂおよび内扉部分１２ｃは一体的に開閉するようになる。このことにより、操作者は下部扉１２ａにおける外扉部分１２ｂおよび内扉部分１２ｃを開くとステージ３０ａ上の領域にアクセス可能となる。
【００７２】
また、本実施の形態による紙幣入出金装置１０では、出金されるべきバラ紙幣を各バラ紙幣収納部３２から入金一時保留部３０に送るようなバラ紙幣の出金処理が行われている最中に、搬送部１８においてバラ紙幣が詰まる等の異常（エラー）が発生した場合には、入金一時保留部３０における紙幣の保留領域がセパレータ３０ｃにより２つの紙幣収納領域に区分けられるようになっており、異常が発生した後に搬送部１８により入金一時保留部３０に送られたバラ紙幣はセパレータ３０ｃの上に載置されるようになっている。このようなバラ紙幣の出金処理が行われる際に異常が発生したときの入金一時保留部３０のセパレータ３０ｃの動作は、図８（ａ）〜（ｄ）に示すようなバラ紙幣の入金処理が行われる際に異常が発生したときの入金一時保留部３０のセパレータ３０ｃの動作と略同一であるためその説明を省略する。ここで、本実施の形態では、制御部３００は、入金一時保留部３０におけるバラ紙幣の保留空間がセパレータ３０ｃ等の区分け機構により２つの紙幣収納領域に区分けされたときに、入金一時保留部３０に既に保留されているバラ紙幣について仮確定の処理を行うようになっている。具体的には、第１紙幣収納領域に収納されているバラ紙幣の金種別枚数や合計金額に関する情報が保留済み紙幣の情報として記憶部３０６に記憶される。また、バラ紙幣の出金処理を行う際に異常検出手段８６によりバラ紙幣に係る異常が検知されたときに、バラ紙幣の出金処理が中断され、制御部３００により仮確定の処理が行われたバラ紙幣が入金一時保留部３０から取り出されることなく異常が解消された後にバラ紙幣の出金処理が再開されるようになっている。再開後は、出金要求された金種別枚数や合計金額のバラ紙幣から、仮確定された金種別枚数や合計金額のバラ紙幣を差し引いた残りのバラ紙幣が入金一時保留部３０へ送り込まれる。その後、入金一時保留部３０に保留された全てのバラ紙幣が筐体１２の外部へ取り出されると、一連の出金処理を完了する。このように、本実施の形態による紙幣入出金装置１０では、バラ紙幣の出金処理が行われる際に異常が発生したときでも、入金一時保留部３０における紙幣の保留領域をセパレータ３０ｃにより２つの紙幣収納領域に区分けることによって、搬送部１８におけるバラ紙幣の詰まり等の異常が発生した場合でも入金一時保留部３０に既に保留されているバラ紙幣を当該入金一時保留部３０から取り出して各バラ紙幣収納部３２に戻す必要がなくなるため、バラ紙幣の出金処理が完了するまでの時間を短縮することができる。
【００７３】
次に、本実施の形態による紙幣入出金装置１０においてバラ紙幣の精査処理が行われる際の動作について説明する。なお、バラ紙幣の精査処理とは、各バラ紙幣収納部３２に収納されているバラ紙幣の在高（言い換えると、各バラ紙幣収納部３２に収納されているバラ紙幣の金種毎の枚数や合計金額）を確認する処理のことをいう。紙幣入出金装置１０においてバラ紙幣の出金処理を行うにあたり、操作者がバラ紙幣の精査処理の指令を操作表示部３０２により入力すると、バラ紙幣の金種毎に、バラ紙幣収納部３２からバラ紙幣が搬送部１８に繰り出され、繰り出されたバラ紙幣は搬送部１８により入金一時保留部３０に送られてこの入金一時保留部３０に保留される。この際に、搬送部１８から入金一時保留部３０の内部に所定枚数のバラ紙幣が送られる度にステージ３０ａは少しずつ図２における下方向に移動する。また、入金一時保留部３０のセパレータ３０ｃは図示しないロック部により図２の実線で示すような退避位置に位置するようロックされている。そして、あるバラ紙幣収納部３２からバラ紙幣が全て入金一時保留部３０に送られると、入金一時保留部３０からバラ紙幣が搬送部１８に繰り出され、繰り出されたバラ紙幣は搬送部１８により元のバラ紙幣収納部３２に戻されるようになる。また、バラ紙幣収納部３２から入金一時保留部３０にバラ紙幣が送られる際に、あるいは入金一時保留部３０からバラ紙幣収納部３２にバラ紙幣が戻される際に、バラ紙幣が搬送部１８により識別部２０に搬送され、この識別部２０によりバラ紙幣の金種、真偽、表裏、正損、新旧、搬送状態等が識別される。このような動作がバラ紙幣収納部３２毎に行われる。このようにして、各バラ紙幣収納部３２に収納されているバラ紙幣の在高を確認することができるようになる。
【００７４】
また、本実施の形態による紙幣入出金装置１０では、上述したバラ紙幣の精査処理が行われている最中に、搬送部１８においてバラ紙幣が詰まる等の異常（エラー）が発生した場合には、入金一時保留部３０における紙幣の保留領域がセパレータ３０ｃにより２つの紙幣収納領域に区分けられるようになっており、異常が発生した後に搬送部１８により入金一時保留部３０に送られたバラ紙幣はセパレータ３０ｃの上に載置されるようになっている。このようなバラ紙幣の精査処理が行われる際に異常が発生したときの入金一時保留部３０のセパレータ３０ｃの動作は、図８（ａ）〜（ｄ）に示すようなバラ紙幣の入金処理が行われる際に異常が発生したときの入金一時保留部３０のセパレータ３０ｃの動作と略同一であるためその説明を省略する。ここで、本実施の形態では、制御部３００は、入金一時保留部３０におけるバラ紙幣の保留空間がセパレータ３０ｃ等の区分け機構により２つの紙幣収納領域に区分けされたときに、入金一時保留部３０に既に保留されているバラ紙幣について仮確定の処理を行うようになっている。具体的には、第１紙幣収納領域に収納されているバラ紙幣の金種別枚数や合計金額に関する情報が保留済み紙幣の情報として記憶部３０６に記憶される。また、バラ紙幣の精査処理を行う際に異常検出手段８６によりバラ紙幣に係る異常が検知されたときに、バラ紙幣の精査処理が中断され、制御部３００により仮確定の処理が行われたバラ紙幣が入金一時保留部３０から取り出されることなく異常が解消された後にバラ紙幣の精査処理が再開されるようになっている。このように、本実施の形態による紙幣入出金装置１０では、バラ紙幣の精査処理が行われる際に異常が発生したときでも、入金一時保留部３０における紙幣の保留領域をセパレータ３０ｃにより２つの紙幣収納領域に区分けることによって、搬送部１８におけるバラ紙幣の詰まり等の異常が発生した場合でも入金一時保留部３０に既に保留されているバラ紙幣を当該入金一時保留部３０から取り出して各バラ紙幣収納部３２に戻す必要がなくなるため、バラ紙幣の精査処理が完了するまでの時間を短縮することができる。
【００７５】
なお、バラ紙幣の出金処理や精査処理が行われる際に、紙幣入出金装置１０の各構成部材により処理されるバラ紙幣に係る異常が異常検出手段８６により検出されたときに、入金一時保留部３０の出入り口にバラ紙幣が存在することが紙幣検知センサ３１により検知された場合には、入金一時保留部３０内の紙幣量を特定できないため、全ての紙幣を回収して各バラ紙幣収納部３２に戻すことにより再計数する必要がある。そのときは、「全ての保留紙幣を取り出して各バラ紙幣収納部３２に戻すことにより再計数する」旨のガイダンスが操作表示部３０２に表示される。
【００７６】
以上のような構成からなる本実施の形態の紙幣入出金装置１０およびこのような紙幣入出金装置１０によるバラ紙幣の処理方法によれば、入金一時保留部３０には、当該入金一時保留部３０におけるバラ紙幣の保留空間を複数（具体的には、２つ）の紙幣収納領域に区分け可能な区分け機構としてセパレータ３０ｃおよび当該セパレータ３０ｃを退避位置にロックするロック部等が設けられているとともに、紙幣入出金装置１０の各構成部材（例えば、搬送部１８）により処理されるバラ紙幣に係る異常を検出する異常検出手段８６が設けられている。そして、制御部３００は、異常検出手段８６により異常が検出されたときに、入金一時保留部３０に既に保留されているバラ紙幣が収納される紙幣収納領域と、入金一時保留部３０に新たに送られるバラ紙幣が収納される紙幣収納領域とを区分けるよう区分け機構を制御するようになっている。このように、異常検出手段８６により異常が検出されたときに、入金一時保留部３０に既に保留されているバラ紙幣が収納される紙幣収納領域と、入金一時保留部３０に新たに送られるバラ紙幣が収納される紙幣収納領域とをセパレータ３０ｃ等の区分け機構によって区分けることにより、バラ紙幣の詰まり等の異常が発生した場合でも入金一時保留部３０に既に保留されているバラ紙幣を当該入金一時保留部３０から取り出して投入部１４等に再投入する必要がなくなるため、バラ紙幣の処理が完了するまでの時間を短縮することができる。
【００７７】
また、本実施の形態の紙幣入出金装置１０においては、上述したように、制御部３００は、入金一時保留部３０におけるバラ紙幣の保留空間がセパレータ３０ｃ等の区分け機構により複数の紙幣収納領域に区分けされたときに、入金一時保留部３０に既に保留されているバラ紙幣について仮確定の処理を行うようになっている。このことにより、異常が解消された後にバラ紙幣の処理が再開された場合にも、入金一時保留部３０に既に保留されているバラ紙幣を筐体１２の外部に取り出すことなくそのまま利用することができるようになる。
【００７８】
また、本実施の形態の紙幣入出金装置１０においては、上述したように、バラ紙幣の入金処理を行う際に異常検出手段８６によりバラ紙幣に係る異常が検知されたときに、バラ紙幣の入金処理が中断され、制御部３００により仮確定の処理が行われたバラ紙幣が入金一時保留部３０から取り出されることなく異常が解消された後にバラ紙幣の入金処理が再開されるようになっている。
【００７９】
また、本実施の形態の紙幣入出金装置１０においては、上述したように、バラ紙幣の出金処理を行う際に異常検出手段８６によりバラ紙幣に係る異常が検知されたときに、バラ紙幣の出金処理が中断され、制御部３００により仮確定の処理が行われたバラ紙幣が入金一時保留部３０から取り出されることなく異常が解消された後にバラ紙幣の出金処理が再開されるようになっている。
【００８０】
また、本実施の形態の紙幣入出金装置１０においては、上述したように、バラ紙幣の精査処理を行う際に異常検出手段８６によりバラ紙幣に係る異常が検知されたときに、バラ紙幣の精査処理が中断され、制御部３００により仮確定の処理が行われたバラ紙幣が入金一時保留部３０から取り出されることなく異常が解消された後にバラ紙幣の精査処理が再開されるようになっている。
【００８１】
また、本実施の形態の紙幣入出金装置１０においては、上述したように、入金一時保留部３０の入口近傍に存在するバラ紙幣を検知する検知手段として紙幣検知センサ３１が設けられており、制御部３００は、紙幣検知センサ３１によりバラ紙幣が検知されない場合においてのみ、セパレータ３０ｃやロック部等の区分け機構を作動させるようになっている。この場合には、入金一時保留部３０における例えば紙幣繰出繰入部３０ｂにおいてバラ紙幣の詰まり等の異常が生じたときにもセパレータ３０ｃが退避位置から区分け位置に移動してしまうことを防止することができ、入金一時保留部３０以外の箇所で生じた異常が異常検出手段８６により検知された場合においてのみ区分け機構により入金一時保留部３０の内部を複数の領域に区分けることができるようになる。
【００８２】
また、本実施の形態の紙幣入出金装置１０においては、上述したように、セパレータ３０ｃやロック部等からなる区分け機構は、入金一時保留部３０におけるバラ紙幣の保留空間を複数の紙幣収納領域に区分けしたときに入金一時保留部３０に既に保留されているバラ紙幣が収納される紙幣収納領域からバラ紙幣を取り出すことができないような構成となっている。具体的には、内扉部分１２ｃが筐体１２にロックされた場合には、この内扉部分１２ｃを動かすことができなくなるため外扉部分１２ｂのみが開閉するようになる。この場合には、外扉部分１２ｂを開いたときに、入金一時保留部３０におけるセパレータ３０ｃにより区分けされた複数の紙幣収納領域のうち一部の紙幣収納領域（具体的には、セパレータ３０ｃと紙幣繰出繰入部３０ｂとの間にある第２紙幣収納領域）のみにアクセス可能となる。このことにより、操作者は外扉部分１２ｂのみを開いたときにセパレータ３０ｃと紙幣繰出繰入部３０ｂとの間にある第２紙幣収納領域からバラ紙幣を取り出すことができるようになるが、ステージ３０ａとセパレータ３０ｃとの間にある第１紙幣収納領域からバラ紙幣を取り出すことができなくなり、異常が発生したときに第１紙幣収納領域から操作者がバラ紙幣を誤って取り出してしまうことを防止することができるようになる。
【００８３】
また、本実施の形態の紙幣入出金装置１０においては、上述したように、制御部３００は、異常検出手段８６により検出された異常が解消された後に入金一時保留部３０におけるバラ紙幣の保留空間を区分けしないようセパレータ３０ｃやロック部等からなる区分け機構を制御するようになっている（図８（ｄ）参照）。
【００８４】
また、本実施の形態の紙幣入出金装置１０においては、上述したように、異常検出手段８６により異常が検出されたときに、セパレータ３０ｃやロック部等からなる区分け機構により区分けされた、入金一時保留部３０に新たに送られるバラ紙幣が収納される紙幣収納領域のみからバラ紙幣を取り除く旨のガイダンスを報知する報知部として操作表示部３０２が設けられている。なお、このようなガイダンスを報知する報知部は操作表示部３０２における表示に限定されることはない。ガイダンスを報知する報知部として、操作者に対して音声により報知を行うものや、他の様々な手段によって操作者に対して報知を行うものが用いられてもよい。
【００８５】
なお、本実施の形態による紙幣入出金装置１０やこのような紙幣入出金装置１０によるバラ紙幣の処理方法は、上述したような態様に限定されることはなく、様々な変更を加えることができる。
【００８６】
例えば、本発明に係る紙幣入出金装置１０は、硬貨入出金装置１１０と組み合わせられることにより貨幣入出金機１を構成するようなものに限定されることはない。本発明に係る紙幣処理装置として、紙幣入出金装置１０が単体で用いられてもよい。この場合には、制御部３００は紙幣入出金装置１０の筐体１２の内部に設けられるようになっていてもよい。
【００８７】
また、上述した貨幣入出金機１の紙幣入出金装置１０および上位端末等の外部装置３１０を組み合わせることにより本発明に係る紙幣処理システムが構成されるようになっていてもよい。この場合には、上位端末等の外部装置３１０は、紙幣入出金装置１０の管理を行う管理装置として機能するようになる。また、上記の説明では、紙幣入出金装置１０において異常検出手段８６により異常が検出されたときに、入金一時保留部３０に既に保留されているバラ紙幣が収納される紙幣収納領域と、入金一時保留部３０に新たに送られるバラ紙幣が収納される紙幣収納領域とを区分けるよう区分け機構を制御する制御部３００が貨幣入出金機１に設けられている態様について述べたが、本発明に係る貨幣処理システムでは、管理装置としての外部装置３１０に、このような制御を行う制御部が設けられるようになっていてもよい。
【００８８】
また、所定の操作者に対して所定の端末（例えば、携帯電話やスマートフォン、タブレット端末等）が予め割り当てられており、異常検出手段８６により異常が検出されたときに、筐体１２の内部から（具体的には、搬送部１８の搬送路から）異常の原因となるバラ紙幣を取り除く旨のガイダンスや、セパレータ３０ｃにより区分けされた、入金一時保留部３０に新たに送られるバラ紙幣が収納される第２紙幣収納領域のみからバラ紙幣を取り除く旨のガイダンスが操作表示部３０２ではなく操作者が所持する端末に表示されるようになっていてもよい。
【００８９】
また、上記の説明では、セパレータ３０ｃには当該セパレータ３０ｃを入金一時保留部３０の内部で上下方向に移動させる駆動源が設けられておらず、セパレータ３０ｃはステージ３０ａと連れ立って入金一時保留部３０の内部で上下方向に移動するようになっているような態様について述べたが、本実施の形態による紙幣入出金装置１０はこのような態様に限定されることはない。他の例として、セパレータ３０ｃを入金一時保留部３０の内部で上下方向に移動させる駆動源が設けられていてもよい。また、セパレータ３０ｃが入金一時保留部３０におけるバラ紙幣の保留空間に上方から進入する代わりに、当該バラ紙幣の保留空間にセパレータ３０ｃが側方から進入するようになっていてもよい。
【００９０】
また、本実施の形態による紙幣入出金装置１０では、入金一時保留部３０に既に保留されているバラ紙幣（すなわち、ステージ３０ａとセパレータ３０ｃとの間の第１紙幣収納領域に収納されているバラ紙幣）について仮確定の処理を行ったときに（具体的には、第１紙幣収納領域に収納されているバラ紙幣の金種別枚数や合計金額に関する情報を保留済み紙幣の情報として記憶部３０６に記憶させたときに）、仮確定の処理が行われたバラ紙幣に関する明細書を発行してもよい。ただし、この場合には明細書に「仮確定」を示すマーク（例えば、「仮」という文字）が印字されており、バラ紙幣について追加の処理が行われた後に（すなわち、異常が解消された後に残りのバラ紙幣を入金一時保留部３０に送った後に）、最終版の明細書が別途発行されるようになる。
【００９１】
また、本発明に係る紙幣処理装置として、図９乃至図１１に示すような貨幣入出金機４００が用いられるようになっていてもよい。ここで、図９は、変形例に係る貨幣入出金機４００の外観を示す斜視図であり、図１０は、図９に示す貨幣入出金機４００の内部構成を概略的に示す概略構成図であり、図１１は、図９に示す貨幣入出金機４００における制御系の構成を示す機能ブロック図である。なお、以下の記載では、「紙幣」は全てバラ紙幣を指すものとする。また、図１０における筐体４０２（後述）の左側の側面が貨幣入出金機４００の前面側（すなわち、図９に示すように貨幣入出金機４００を手前側から見たときの正面側）となっており、図１０における右方向が筐体４０２の奥行き方向となっている。
【００９２】
図９乃至図１１に示す貨幣入出金機４００は、金融機関の窓口等に設置されるものであり、紙幣および硬貨の入出金処理をそれぞれ行うようになっている。より詳細に説明すると、金融機関の窓口等において二人のテラーが１台の貨幣入出金機４００を共用するようになっており、図９に示す貨幣入出金機４００の両側にそれぞれテラーが配置されるとともに各テラーに対応して二台のモニタ（図示せず）が設置されるようになっている。
【００９３】
図９に示すように、変形例に係る貨幣入出金機４００は、略直方体形状の筐体４０２を有しており、この筐体４０２の前面上方に紙幣入金口４１０が設けられるとともに筐体４０２の上面に硬貨入金口４５０が設けられるようになっている。また、筐体４０２の前面において紙幣入金口４１０の下方には紙幣出金口４４０が設けられるとともに、紙幣出金口４４０の更に下方にはリジェクト部４４２が設けられるようになっており、このリジェクト部４４２の両側の側方にはそれぞれ硬貨出金ボックス４５２が配置されるようになっている。ここで、紙幣入金口４１０、紙幣出金口４４０および硬貨入金口４５０は二人のテラーが共用するようになっているのに対し、リジェクト部４４２の両側に設けられた各硬貨出金ボックス４５２は各テラーにそれぞれ対応するようになっている。また、図９に示すように、紙幣入金口４１０には、当該紙幣入金口４１０の開閉を行うシャッター４１１が設けられており、また、紙幣出金口４４０にも、当該紙幣出金口４４０の開閉を行うシャッター４４１が設けられている。また、貨幣入出金機４００の筐体４０２の前面における紙幣出金口４４０やリジェクト部４４２の下方には前面扉４４４が設けられており、この前面扉４４４を開くことにより後述する下部引出ユニット４０９を筐体４０２内から手前側に引き出すことができるようになっている。
【００９４】
また、貨幣入出金機４００の筐体４０２の上面における硬貨入金口４５０の両側の側方には、紙幣占有ボタン４８４、硬貨占有ボタン４８６、紙幣出金口ランプ４９０および硬貨出金口ランプ４９２がそれぞれ設けられている。これらの紙幣占有ボタン４８４、硬貨占有ボタン４８６、紙幣出金口ランプ４９０および硬貨出金口ランプ４９２はそれぞれ左右一対となるよう配置されており、各ボタン４８４、４８６や各ランプ４９０、４９２は各テラーに対応するようになっている。また、貨幣入出金機４００の筐体４０２の上面における硬貨入金口４５０の後方には例えばタッチパネル等からなる操作表示部４８２が設けられている。図９では操作表示部４８２は倒れた状態で示されているが、この操作表示部４８２を図９に示す状態から鉛直方向上方に延びるよう立たせることができるようになっている。操作者はこの操作表示部４８２により様々な情報や指令を入力することができるようになっている。また、操作表示部４８２には、貨幣入出金機４００における貨幣の処理状況に関する情報や在高に関する情報が表示されるようになっている。なお、操作表示部４８２に表示される、貨幣入出金機４００における貨幣の処理状況に関する情報には、例えば、ジャム等の通常のエラーに係る情報や、リジェクト部４４２に送られたリジェクト紙幣に係る情報等が含まれる。具体的には、貨幣入出金機４００における貨幣の処理状況に関する情報として、「機体内で紙幣の詰まりが発生しました」「出金口のリジェクト紙幣を抜き取って下さい」等のメッセージが操作表示部４８２に表示されるようになる。また、貨幣入出金機４００の筐体４０２の前面には電源スイッチ４８０が設けられており、操作者がこの電源スイッチ４８０をオンにすることにより貨幣入出金機４００において紙幣や硬貨の入出金処理を行うことができるようになっている。
【００９５】
図１０に示すように、貨幣入出金機４００の筐体４０２の内部には、紙幣の入出金処理を行う紙幣処理部４０４と、硬貨の入出金処理を行う硬貨処理部４０６とがそれぞれ設けられている。紙幣処理部４０４の構成の詳細について以下に説明する。
【００９６】
前述したように、貨幣入出金機４００の筐体４０２の前面上方に紙幣入金口４１０が設けられているが、この紙幣入金口４１０には紙幣繰出機構４１２が設置されており、筐体４０２の外部から紙幣入金口４１０に投入された紙幣は紙幣繰出機構４１２により１枚ずつ筐体４０２の内部に繰り出されるようになっている。より詳細には、図１０に示すように、紙幣繰出機構４１２は、左右一対のキッカローラ４１２ａ、左右一対のフィードローラ４１２ｂおよび左右一対のゲートローラ４１２ｃを有している。このような紙幣繰出機構４１２において、紙幣入金口４１０に投入された紙幣はキッカローラ４１２ａによりフィードローラ４１２ｂとゲートローラ４１２ｃとの間の隙間に向かって１枚ずつ蹴り出され、この蹴り出された紙幣は、フィードローラ４１２ｂによって貨幣入出金機４００の筐体４０２内に１枚ずつ繰り出されるようになっている。
【００９７】
また、紙幣入金口４１０には搬送部４１４が接続されており、紙幣繰出機構４１２により筐体４０２の内部に繰り出された紙幣は搬送部４１４により１枚ずつ搬送されるようになっている。ここで、搬送部４１４には識別部４１６が設けられており、搬送部４１４により搬送される紙幣は識別部４１６によりその金種、真偽、表裏、正損、新旧、搬送状態等が識別されるようになっている。また、搬送部４１４には表裏反転部４１８が設けられており、搬送部４１４により搬送される紙幣は表裏反転部４１８によりその表裏が整えられるようになっている。具体的には、表裏反転部４１８に送られた紙幣のうち、例えば裏面が上側となっている紙幣のみの表裏が反転されることにより、この表裏反転部４１８から出された紙幣は全て表面（おもてめん）が上側となるようになる。
【００９８】
また、搬送部４１４にはリジェクト部４４２が接続されており、識別部４１６により正常な紙幣ではないと識別された紙幣、すなわちリジェクト紙幣が搬送部４１４からリジェクト部４４２に送られるようになっている。リジェクト部４４２は筐体４０２の前面から引き出すことができるようになっており、筐体４０２の前面から引き出されたリジェクト部４４２は筐体４０２の外部からアクセス可能となっている。このことにより、操作者はこのリジェクト部４４２に集積されたリジェクト紙幣を手動で取り出すことができる。
【００９９】
また、搬送部４１４には複数（例えば５つ）の一時保留部４２０が接続されている。ここで、各一時保留部４２０は並列に並ぶよう配設されており、搬送部４１４から各一時保留部４２０に搬送された紙幣は、これらの一時保留部４２０において積層状態で集積されることにより一時的に保留されるようになっている。ここで、図１０に示すように、各一時保留部４２０には、搬送部４１４から送られた紙幣が集積されるステージ４２０ａが設けられている。各一時保留部４２０において一時的に保留される紙幣はステージ４２０ａ上に集積されるようになる。また、ステージ４２０ａに紙幣が集積されている状態でこのステージ４２０ａが図１０に示す位置から側方に退避すると、各一時保留部４２０から後述する紙幣収納カセット４２４や紙幣集積部４２６に紙幣が送られるようになる。
【０１００】
また、各一時保留部４２０には紙幣繰出繰入部４２０ｂが設けられており、当該一時保留部４２０に一時的に保留されている紙幣は紙幣繰出繰入部４２０ｂより１枚ずつ搬送部４１４に繰り出されるようになっている。また、紙幣繰出繰入部４２０ｂにより搬送部４１４から一時保留部４２０に紙幣が１枚ずつ繰り入れられるようになっている。ここで、一時保留部４２０には、紙幣の入金処理において識別部４１６により識別された紙幣が後述する紙幣収納カセット４２４や紙幣集積部４２６に収納される前に一時的に保留されるようになっている。また、各一時保留部４２０には、当該一時保留部４２０における紙幣の保留空間を２つの紙幣収納領域に区分け可能なセパレータ４２０ｃが図１０における上下方向に移動自在に設けられている。各セパレータ４２０ｃは、一時保留部４２０の内部を２つの紙幣収納領域に区分ける区分け位置（具体的には、図１０において二点鎖線で示す位置）と、一時保留部４２０の内部を１つの紙幣収納領域とする退避位置（具体的には、図１０において実線で示す位置）との間で図１０における上下方向に移動自在となっている。より詳細には、セパレータ４２０ｃが区分け位置に移動したときには、当該セパレータ４２０ｃは紙幣繰出繰入部４２０ｂの下方に位置するようになる。このことにより、ステージ４２０ａとセパレータ４２０ｃとの間に第１紙幣収納領域が形成されるとともに、セパレータ４２０ｃと紙幣繰出繰入部４２０ｂとの間に第２紙幣収納領域が形成されるようになる。一方、セパレータ４２０ｃが退避位置に移動したときには、当該セパレータ４２０ｃは紙幣繰出繰入部４２０ｂの上方に位置するようになる。このことにより、ステージ４２０ａと紙幣繰出繰入部４２０ｂとの間に１つの紙幣収納領域が形成されるようになる。
【０１０１】
また、図１０に示すように、変形例に係る貨幣入出金機４００において、一時保留部４２０への出入り口（具体的には、紙幣繰出繰入部４２０ｂの近傍）には紙幣検知センサ４２１が設けられており、搬送部４１４から一時保留部４２０に送られる直前の紙幣や一時保留部４２０から紙幣繰出繰入部４２０ｂにより繰り出された直後の紙幣が紙幣検知センサ４２１により検知されるようになっている。このような紙幣検知センサ４２１による紙幣の検知情報は後述する制御部５００に送られるようになっている。
【０１０２】
また、各一時保留部４２０の下方には例えば２つの紙幣収納カセット４２４および例えば３つの紙幣集積部４２６がそれぞれ設けられており、各一時保留部４２０に一時的に保留された紙幣は各紙幣収納カセット４２４や各紙幣集積部４２６に送られるようになっている。ここで、図１０に示すように、筐体４０２の内部において各紙幣収納カセット４２４は後述する下部引出ユニット４０９に設けられたカセット部４２２に着脱自在に収容されるようになっており、この下部引出ユニット４０９は前面扉４４４を開くことにより筐体４０２から前方に（すなわち、図１０における左方向に）引き出すことができるようになっている。このように、下部引出ユニット４０９を筐体４０２から前方に引き出すことにより、紙幣が収納された紙幣収納カセット４２４をカセット部４２２から取り出し、この紙幣収納カセット４２４を回収することができるようになっている。一方、各紙幣集積部４２６に集積された紙幣は、これらの紙幣集積部４２６から搬送部４１４に繰り出されるようになっており、各紙幣集積部４２６から搬送部４１４に繰り出された紙幣は紙幣出金口４４０に送られ、このようにして紙幣の出金処理が行われるようになっている。
【０１０３】
また、図１０に示すように、紙幣入金口４１０、紙幣出金口４４０、識別部４１６、表裏反転部４１８、搬送部４１４の上側の一部は、筐体４０２の内部から手前側に引き出し可能な上部引出ユニット４０８に設けられている。一方、各一時保留部４２０、紙幣収納カセット４２４、紙幣集積部４２６、搬送部４１４の下側の一部は、筐体４０２の内部から手前側に引き出し可能な下部引出ユニット４０９に設けられている。
【０１０４】
また、図１１に示すように、紙幣処理部４０４には、当該紙幣処理部４０４の各構成部材（具体的には、例えば搬送部４１４）により処理される紙幣に係る異常を検出する異常検出手段４３０が設けられており、この異常検出手段４３０は後述する制御部５００に接続されている。具体的には、異常検出手段４３０は、搬送部４１４等において紙幣の詰まり（ジャム）が生じたときにこのことを検出するようになっている。また、異常検出手段４３０による検出情報は後述する制御部５００に送信されるようになっている。
【０１０５】
貨幣入出金機４００の筐体４０２の内部に設けられた硬貨処理部４０６は、硬貨の入出金処理を行うようになっている。具体的には、上面に設けられた硬貨入金口４５０に投入された硬貨を識別部（図示せず）により識別し、その後この硬貨を筐体４０２内に収納することによって硬貨の入金処理を行ったり、筐体４０２内に収納された硬貨を各硬貨出金ボックス４５２に送ることによって硬貨の出金処理を行ったりするようになっている。なお、硬貨処理部４０６の詳細な説明は省略する。
【０１０６】
前述したように、貨幣入出金機４００の筐体４０２の上面には、左右一対の紙幣占有ボタン４８４および左右一対の硬貨占有ボタン４８６がそれぞれ設けられており、各ボタン４８４、４８６は各テラーに対応するようになっている。そして、貨幣入出金機４００の側方に座っている各テラーが対応する紙幣占有ボタン４８４や硬貨占有ボタン４８６を押下することにより、このテラーに関連する紙幣や硬貨の入出金処理を行うことができるようになる。また、貨幣入出金機４００の筐体４０２の上面には、左右一対の紙幣出金口ランプ４９０および左右一対の硬貨出金口ランプ４９２がそれぞれ設けられており、各ランプ４９０、４９２は各テラーに対応するようになっている。そして、紙幣出金口４４０に出金紙幣が集積されたり硬貨出金ボックス４５２に出金硬貨が集積されたりすると、紙幣や硬貨の入出金処理を行っているテラーに対応する紙幣出金口ランプ４９０や硬貨出金口ランプ４９２が点灯するようになる。
【０１０７】
また、図１１に示すように、貨幣入出金機４００の筐体４０２内には、当該貨幣入出金機４００の各構成要素の制御を行う制御部５００が設けられている。図３に示すように、制御部５００には紙幣処理部４０４（具体的には、紙幣繰出機構４１２、搬送部４１４、識別部４１６、表裏反転部４１８、一時保留部４２０、紙幣検知センサ４２１、異常検出手段４３０等）、硬貨処理部４０６、電源スイッチ４８０、操作表示部４８２、紙幣占有ボタン４８４、硬貨占有ボタン４８６、紙幣出金口ランプ４９０、硬貨出金口ランプ４９２等がそれぞれ接続されている。また、制御部５００には記憶部５０２および通信インターフェース部５０４等がそれぞれ接続されている。記憶部５０２には、貨幣入出金機４００における貨幣の処理状況や在高に関する情報が記憶されるようになっている。また、通信インターフェース部５０４により、制御部５００は貨幣入出金機４００以外の外部装置（例えば、上位装置）と信号の送受信を行うようになっている。
【０１０８】
次に、図９乃至図１１に示すような貨幣入出金機４００において紙幣の入金処理が行われる際の動作について説明する。貨幣入出金機４００において紙幣の入金処理を行うにあたり、操作者が紙幣入金口４１０に１または複数の紙幣を積層状態で投入し、操作表示部４８２により紙幣の入金処理開始の指令を制御部５００に与えると、紙幣入金口４１０に投入された紙幣は１枚ずつ紙幣繰出機構４１２により筐体４０２の内部に繰り出され、この繰り出された紙幣は搬送部４１４により識別部４１６に搬送される。そして、識別部４１６により紙幣の金種、真偽、表裏、正損、新旧、搬送状態等が識別された後、表裏反転部４１８によりその表裏が揃うように反転させられる。その後、識別部４１６により正常な紙幣であると識別された紙幣は搬送部４１４により各一時保留部４２０に例えば金種毎に送られ、これらの一時保留部４２０に保留される。この際に、搬送部４１４から一時保留部４２０に送られた紙幣はステージ４２０ａ上に積層状態で集積されるようになる。また、各一時保留部４２０のセパレータ４２０ｃは図１０の実線で示すような退避位置に維持されるようになっている。一方、識別部４１６により正常な紙幣ではないと識別された紙幣や識別部４１６により識別することができなかった紙幣はリジェクト紙幣としてリジェクト部４４２に送られる。このことにより、操作者はリジェクト部４４２から紙幣を取り出して紙幣入金口４１０に再投入等することができるようになる。
【０１０９】
紙幣入金口４１０に投入された紙幣が全て筐体４０２の内部に繰り出されて各一時保留部４２０等に送られることにより紙幣入金口４１０に紙幣が存在しなくなると、操作表示部４８２には入金確定の指令を操作者に求める画面が表示されるようになる。そして、操作者が操作表示部４８２により入金確定の指令を入力すると、各一時保留部４２０においてステージ４２０ａが図１０に示す位置から側方に退避することによりステージ４２０ａ上に集積されている紙幣が各一時保留部４２０から紙幣収納カセット４２４や紙幣集積部４２６に送られ、これらの紙幣収納カセット４２４や紙幣集積部４２６に収納されるようになる。このようにして、貨幣入出金機４００における紙幣の入金処理の一連の動作が完了する。一方、操作表示部４８２に入金確定の指令を操作者に求める画面が表示されているときに、操作者が入金確定の指令ではなく返却の指令を入力すると、各一時保留部４２０の内部に一時的に保留されている紙幣が紙幣繰出繰入部４２０ｂにより搬送部４１４に繰り出され、この繰り出された紙幣は搬送部４１４により紙幣出金口４４０に送られる。そして、各一時保留部４２０に保留されている紙幣が全て紙幣出金口４４０に送られると、この紙幣出金口４４０に設けられたシャッター４４１が開くようになる。このことにより、操作者は返却された紙幣を紙幣出金口４４０から取り出すことができるようになる。
【０１１０】
また、図９乃至図１１に示す貨幣入出金機４００では、上記の紙幣の入金処理が行われている最中に、搬送部４１４において紙幣が詰まる等の異常（エラー）が発生した場合には、各一時保留部４２０における紙幣の保留領域がセパレータ４２０ｃにより２つの紙幣収納領域に区分けられるようになっており、異常が発生した後に搬送部４１４により各一時保留部４２０に送られた紙幣はセパレータ４２０ｃの上に載置されるようになっている。図９乃至図１１に示す貨幣入出金機４００において紙幣の入金処理が行われる際に異常が発生したときの一時保留部４２０のセパレータ４２０ｃの動作について説明する。
【０１１１】
上述したように、紙幣の入金処理が行われる際に、紙幣処理部４０４の各構成部材（具体的には、例えば搬送部４１４）により処理される紙幣に係る異常が異常検出手段４３０により検出されていない状態では、搬送部４１４から一時保留部４２０に送られた紙幣はステージ４２０ａ上に積層状態で集積されるようになる。また、各一時保留部４２０のセパレータ４２０ｃは図１０の実線で示すような退避位置に維持されるようになっている。これに対し、紙幣処理部４０４の各構成部材により処理される紙幣に係る異常が異常検出手段４３０により検出されると、具体的には例えば搬送部４１４により搬送される紙幣に詰まり（ジャム）が生じたことが異常検出手段４３０により検出されると、各一時保留部４２０の出入り口に紙幣が存在しないことが紙幣検知センサ４２１により検知されたことを条件として、セパレータ４２０ｃが一時保留部４２０の内部を２つの紙幣収納領域に区分ける区分け位置に移動するようになる。ここで、セパレータ４２０ｃが区分け位置に移動したときには、当該セパレータ４２０ｃは紙幣繰出繰入部４２０ｂの下方に位置するようになる。このことにより、ステージ４２０ａとセパレータ４２０ｃとの間に第１紙幣収納領域が形成されるとともに、セパレータ４２０ｃと紙幣繰出繰入部４２０ｂとの間に第２紙幣収納領域が形成されるようになる。ここで、紙幣の入金処理が行われる際に各一時保留部４２０に既に保留されている紙幣はステージ４２０ａとセパレータ４２０ｃとの間の第１紙幣収納領域に収納されるようになる。
【０１１２】
なお、紙幣処理部４０４の各構成部材により処理される紙幣に係る異常が異常検出手段４３０により検出された際に、一時保留部４２０の出入り口に紙幣が存在することが紙幣検知センサ４２１により検知された場合には、一時保留部４２０内の紙幣量を特定できないため、全ての紙幣を回収して紙幣入金口４１０に再投入することにより再計数する必要がある。そのときは、「全ての保留紙幣を取り出して紙幣入金口４１０に再投入することにより再計数する」旨のガイダンスが操作表示部４８２に表示される。
【０１１３】
また、紙幣処理部４０４の各構成部材により処理される紙幣に係る異常が異常検出手段４３０により検出されたときに、搬送部４１４に搬送中の紙幣が残っている場合には当該紙幣が各一時保留部４２０に送られる。この際に、異常検出手段４３０により異常が検出された後に一時保留部４２０に送られた紙幣はセパレータ４２０ｃの上に載置されるようになる。言い換えると、異常検出手段４３０により異常が検出された後に一時保留部４２０に送られた紙幣は第２紙幣収納領域に収納されるようになる。また、制御部５００は、一時保留部４２０における紙幣の保留空間がセパレータ４２０ｃにより２つの紙幣収納領域に区分けされたときに、一時保留部４２０に既に保留されている紙幣（すなわち、ステージ４２０ａとセパレータ４２０ｃとの間の第１紙幣収納領域に収納されている紙幣）について仮確定の処理を行う。このことにより、後述するように異常が解消された後に紙幣の入金処理が再開された場合にも、各一時保留部４２０に既に保留されている紙幣を筐体４０２の外部に取り出すことなくそのまま利用することができるようになる。
【０１１４】
図９乃至図１１に示す貨幣入出金機４００では、紙幣の入金処理を行う際に異常検出手段４３０により紙幣に係る異常が検知されたときに、紙幣の入金処理が中断され、制御部５００により仮確定の処理が行われた紙幣が各一時保留部４２０から取り出されることなく異常が解消された後に紙幣の入金処理が再開されるようになっている。より詳細に説明すると、紙幣処理部４０４の各構成部材により処理される紙幣に係る異常が異常検出手段４３０により検出されると、筐体４０２の内部から（具体的には、搬送部４１４の搬送路から）異常の原因となる紙幣を取り除く旨のガイダンスが操作表示部４８２に表示されるようになる。また、操作表示部４８２には、セパレータ４２０ｃにより区分けされた、各一時保留部４２０に新たに送られる紙幣が収納される第２紙幣収納領域のみから紙幣を取り除く旨のガイダンスも表示されるようになる。そして、筐体４０２の内部から上部引出ユニット４０８や下部引出ユニット４０９を手前側に引き出し、操作者が異常の原因となる紙幣を筐体４０２の内部から外部に取り出すとともに、異常が発生した後に各一時保留部４２０に送られた紙幣（すなわち、第２紙幣収納領域に収納されている紙幣）を一時保留部４２０から筐体４０２の外部に取り出し、取り出された紙幣を紙幣入金口４１０に再投入する。ここで、異常が発生した後に各一時保留部４２０に送られた紙幣を一時保留部４２０から筐体４０２の外部に取り出すにあたり、筐体４０２の内部から下部引出ユニット４０９を手前側に引き出した際に、ステージ４２０ａ上に集積されている紙幣はセパレータ４２０ｃにより覆われているため操作者はステージ４２０ａとセパレータ４２０ｃとの間の第１紙幣収納領域に収納されている紙幣を取り出すことができないようになっている。このため、異常が発生する前に各一時保留部４２０に既に保留されている紙幣を操作者が誤って取り出してしまう事を防止することができる。
【０１１５】
そして、異常が解除された後、操作者が操作表示部４８２により紙幣の入金処理の再開の指令を入力すると、セパレータ４２０ｃが図１０において実線で示すような退避位置に戻るようになる。このことにより、再開された紙幣の入金処理において紙幣入金口４１０から紙幣繰出機構４１２により筐体４０２の内部に投入された紙幣（すなわち、紙幣入金口４１０、搬送部４１４および一時保留部４２０の第２紙幣収納領域から回収された紙幣）を識別部４１６により識別した後に各一時保留部４２０のステージ４２０ａ上で保留させることができるようになる。
【０１１６】
このように、図９乃至図１１に示す貨幣入出金機４００では、紙幣の入金処理が行われる際に異常が発生したときでも、各一時保留部４２０における紙幣の保留領域をセパレータ４２０ｃにより２つの紙幣収納領域に区分けることによって、搬送部４１４における紙幣の詰まり等の異常が発生した場合でも一時保留部４２０に既に保留されている紙幣を当該一時保留部４２０から取り出して紙幣入金口４１０に再投入する必要がなくなるため、紙幣の入金処理が完了するまでの時間を短縮することができる。より詳細に説明すると、従来の紙幣処理装置では、大量の紙幣の入金処理を行う際に、各一時保留部にある程度の数の紙幣が保留された状態で搬送部等において紙幣の詰まり（ジャム）等の異常が発生すると、下部引出ユニットを筐体の内部から手前側に引き出すことにより各一時保留部に保留されている大量の紙幣を全てこの一時保留部から取り出し、異常を解消した後に一時保留部から取り出された大量の紙幣を紙幣入金口に再投入して筐体の内部に繰り出させる必要があるため、入金処理が完了するまでに時間がかかってしまうという問題があった。これに対し、図９乃至図１１に示す貨幣入出金機４００では、各一時保留部４２０に既に保留されている紙幣を当該一時保留部４２０から取り出して紙幣入金口４１０に再投入する必要がないため、一時保留部４２０にある程度の数の紙幣が保留された状態で搬送部４１４等において紙幣の詰まり（ジャム）等の異常が発生しても、各一時保留部４２０に既に保留されている紙幣を取り出すことなく異常が解消した後に紙幣の入金処理を再開させることができるようになる。
【０１１７】
なお、図１乃至図８に示す貨幣入出金機１における紙幣入出金装置１０や図９乃至図１１に示す貨幣入出金機４００は紙幣の処理を行うものであるが、本発明に係る紙葉類処理装置は紙幣の処理を行うものに限定されることはない。本発明に係る紙葉類処理装置として、小切手、商品券、投票用紙等の紙幣以外の紙葉類を処理するものが用いられてもよい。
【０１１８】
また、本発明に係る紙葉類処理装置における一時保留部は、紙幣が積層状態で集積されるようなものに限定されることはない。本発明に係る紙葉類処理装置における一時保留部として、その一端がドラムの外周面に取り付けられた帯状のテープにより紙葉類をテープごとドラムに巻き取るようなものが用いられてもよい。この場合には、テープ式の一時保留部における紙葉類の保留空間を複数の紙葉類収納領域に区分け可能な区分け機構として、例えば、当該一時保留部の入口を遮蔽するような遮蔽部材が用いられるようになる。
【符号の説明】
【０１１９】
１        貨幣入出金機
１０      紙幣入出金装置
１２      筐体
１２ａ    下部扉
１２ｂ    外扉部分
１２ｃ    内扉部分
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３０ｃ    セパレータ
３０ｐ    紙幣収納領域
３１      紙幣検知センサ
３２      バラ紙幣収納部
３２ａ    ステージ
３２ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
８０ａ    フィードローラ
８０ｂ    キッカローラ
８０ｃ    ゲートローラ
８６      異常検出手段
９０ａ    検知板
９１      駆動部
９１ａ    駆動モータ
９１ｂ    循環ベルト
９２ａ、９２ｂ  検知センサ
９４      上側セパレータ部分
９４ａ    検知板
９５ａ、９５ｂ、９５ｃ  検知センサ
９６      下側セパレータ部分
１１０    硬貨入出金装置
３００    制御部
３０２    操作表示部
３０４    印字部
３０６    記憶部
３０８    通信インターフェース部
３１０    外部装置
４００    貨幣入出金機
４０２    筐体
４０４    紙幣処理部
４０６    硬貨処理部
４０８    上部引出ユニット
４０９    下部引出ユニット
４１０    紙幣入金口
４１１    シャッター
４１２    紙幣繰出機構
４１２ａ  キッカローラ
４１２ｂ  フィードローラ
４１２ｃ  ゲートローラ
４１４    搬送部
４１６    識別部
４１８    表裏反転部
４２０    一時保留部
４２０ａ  ステージ
４２０ｂ  紙幣繰出繰入部
４２０ｃ  セパレータ
４２１    紙幣検知センサ
４２２    カセット部
４２４    紙幣収納カセット
４２６    紙幣集積部
４３０    異常検出手段
４４０    紙幣出金口
４４１    シャッター
４４２    リジェクト部
４４４    前面扉
４５０    硬貨入金口
４５２    硬貨出金ボックス
４８０    電源スイッチ
４８２    操作表示部
４８４    紙幣占有ボタン
４８６    硬貨占有ボタン
４９０    紙幣出金口ランプ
４９２    硬貨出金口ランプ
５００    制御部
５０２    記憶部
５０４    通信インターフェース部
【図１】
2017107281.tif 000003
【図２】
2017107281.tif 000004
【図３】
2017107281.tif 000005
【図４】
2017107281.tif 000006
【図５】
2017107281.tif 000007
【図６】
2017107281.tif 000008
【図７】
2017107281.tif 000009
【図８】
2017107281.tif 000010
【図９】
2017107281.tif 000011
【図１０】
2017107281.tif 000012
【図１１】
2017107281.tif 000013